(57)【要約】【課題】本発明は、林野に隣接した河川及び河岸沿いに一定の高さに築かれるブロックに関する。【解決手段】林野に隣接した河川及び河岸沿いに一定の高さに築かれるブロックにおいて、土砂が貯蔵される第１隔室と、中間隔壁を境にして上記第１隔室の左右の両側に配置されて水が貯蔵される第２隔室及び第３隔室を備える胴体と、上記胴体の前面部に小動物、爬虫類及び昆虫の移動が可能であるよう対角の方向に形成される第１移動路と、上記第１隔室の上部が開放されるよう上記胴体の上部に備えられる蓋と、上記第２隔室と第３隔室の内部空間を連通するよう上記第１隔室を横切る流動管と、を含む。このような本発明によると、河川及び河岸沿いに生息する小動物、爬虫類及び昆虫がブロックの下部から上部へ自由に移動することができ、蟠踞生息部屋で生息することが可能で、渇水期に小動物、爬虫類及び昆虫が隔室内に貯蔵された水を利用できるようにすることによって、生命力を保つことができるだけでなく、洪水の際に隔室に水を貯蔵して洪水の調節能力を備え、河川及び河岸沿いの安定した水量管理の機能を保つことができるという効果がある。
2011510192.tif 000002
【特許請求の範囲】
【請求項１】
河川及び河岸沿いに一定の高さに築かれるブロックにおいて、
土砂が貯蔵される第１隔室と、中間隔壁を境に前記第１隔室の左右の両側に配置されて水が貯蔵される第２隔室及び第３隔室を備える胴体と、
前記胴体の前面部に動物の移動が可能であるよう対角方向に形成される第１移動路と、
前記第１隔室の上部が開放されるよう前記胴体の上部に備えられる蓋と、
前記第２隔室と第３隔室の内部空間を連通するよう前記第１隔室を横切る流動管と、を含むことを特徴とする生体活性化ブロック。
【請求項２】
前記流動管の左右両端は、一方向性を有するよう前記第２、３隔室と連結されることを特徴とする請求項１に記載の生体活性化ブロック。
【請求項３】
前記胴体は、前記第２隔室の下部に前面部から後面部に向かうよう、一定の深さに凹んで形成される蟠踞生息部屋がさらに備えられることを特徴とする請求項１に記載の生体活性化ブロック。
【請求項４】
前記前面部には、土砂の流出を防ぎ、水が排出されるよう貫通して形成される少なくとも一つの連結孔が備えられることを特徴とする請求項１に記載の生体活性化ブロック。
【請求項５】
前記第３隔室は、第３隔室の水が流入される流入管と、一側に流入孔が備えられた内部隔壁を境にして形成される複数の内部空間と、前記複数の内部空間の水を外部に流出する流出管及び前記内部空間に満たされる炭のような透水性の物質を含むろ過部材が前記第３隔室の下段にさらに備えられることを特徴とする請求項１に記載の生体活性化ブロック。
【請求項６】
前記胴体は、前記前面部の一側面から上方に傾斜して延長形成される第２移動路が前記前面部に傾斜して形成される第３移動路を介して前記第１移動路と互いに連結されることを特徴とする請求項１に記載の生体活性化ブロック。
【請求項７】
前記胴体は、前記前面部に第３隔室と連通される少なくとも一つの出入口が形成されることを特徴とする請求項１に記載の生体活性化ブロック。
【請求項８】
前記胴体は、前記出入口から下向に傾斜して前記前面部の底面まで延長形成される第４移動路を備えることを特徴とする請求項７に記載の生体活性化ブロック。
【請求項９】
河川及び河岸沿いに一定の高さに築かれるブロックにおいて、
水が貯蔵される中央隔室と、両側壁を境にして前記中央隔室の左右両側に配置され前記側壁と隣するブロックにより内部空間が形成されて土砂が貯蔵される左、右側隔室からなる胴体と、
前記胴体の前面部に動物の移動が可能であるよう対角方向に形成される第１移動路と、
前記中央隔室の上部に備えられる蓋と、
前記中央隔室の下段に備えられ水質浄化及び水の排出速度を調節するろ過部材と、を含むことを特徴とする生体活性化ブロック。
【請求項１０】
前記胴体は、前記中央隔室の下部に前面部から後面部に向かうよう一定の深さに凹んで形成される蟠踞生息部屋がさらに備えられることを特徴とする請求項９に記載の生体活性化ブロック。
【請求項１１】
前記前面部には、前記左側隔室と隣する生体活性化ブロックの右側隔室と連携して形成される隔室と連通するよう形成される少なくとも一つの連結孔が備えられることを特徴とする請求項９に記載の生体活性化ブロック。
【請求項１２】
前記ろ過部材は、水が流入される流入管と、一側に流入孔が備えられた内部隔壁を境にして形成される複数の内部空間と、前記複数の内部空間の水を外部に流出する流出管及び前記内部空間に満たされる炭のような透水性の物質を含むことを特徴とする請求項９に記載の生体活性化ブロック。
【請求項１３】
前記流入孔は、隣する内部隔壁に形成された流入孔と対角方向に配置されて水の移動経路が長くなるように形成されることを特徴とする請求項５または１２に記載の生体活性化ブロック。
【請求項１４】
前記胴体は、前記前面部の一側面から上方に傾斜して延長形成される第２移動路が、前記前面部に傾斜して形成される第３移動路を介して前記第１移動路と互いに連結されることを特徴とする請求項９に記載の生体活性化ブロック。
【請求項１５】
前記胴体は、前記前面部に中央隔室と連通される少なくとも一つの出入口が形成されることを特徴とする請求項９に記載の生体活性化ブロック。
【請求項１６】
前記胴体は、前記蟠踞生息部屋の上部側に傾斜して前記前面部の右側面まで延長形成される第４移動路が備えられることを特徴とする請求項１０に記載の生体活性化ブロック。
【請求項１７】
前記中間隔壁は、前記中央隔室の内部空間を成す面に段差があるように形成されることを特徴とする請求項９に記載の生体活性化ブロック。
【請求項１８】
河川及び河岸沿いに一定の高さに築かれるブロックにおいて、
内部に複数の中間隔壁を備えて土砂が貯蔵される第１隔室と水が貯蔵される第２隔室を備える胴体と、
前記胴体の前面部に動物の移動が可能であるよう対角方向に形成される第１移動路と、
前記第１隔室と対応する領域に一定の大きさの開口部を形成して前記胴体の上部に組み立てられる蓋と、
前記第１隔室の下段に配置され、外部面に複数の貫通孔を形成して前記第１隔室内の水を前記第２隔室に案内して流入する少なくとも一つの流動管と、を含むことを特徴とする生体活性化ブロック。
【請求項１９】
前記胴体は、前記前面部の下部に前記第１隔室と連通されるよう少なくとも一つの第１連結孔が貫通形成されることを特徴とする請求項１８に記載の生体活性化ブロック。
【請求項２０】
前記胴体は、前記前面部の上部に前記第２隔室と連通されるよう少なくとも一つの第２連結孔が貫通形成されることを特徴とする請求項１８に記載の生体活性化ブロック。
【請求項２１】
前記胴体は、前記第２連結孔から下向に傾斜して前記前面部の側面まで延長形成される第２移動路を備えることを特徴とする請求項２０に記載の生体活性化ブロック。
【請求項２２】
前記第２移動路は、前記前面部に傾斜して形成される第３移動路を介して前記第１移動路と互いに連結されることを特徴とする請求項２１に記載の生体活性化ブロック。
【請求項２３】
前記胴体は、その下部に前面部から後面部に向かうよう一定の深さに凹んで形成される蟠踞生息部屋がさらに備えられることを特徴とする請求項１８に記載の生体活性化ブロック。
【請求項２４】
前記胴体は、前記蟠踞生息部屋の上部側に傾斜して前記前面部の側面まで延長形成される第４移動路を備えることを特徴とする請求項２３に記載の生体活性化ブロック。
【請求項２５】
前記第４移動路は、前記胴体の築造の際に前記第２隔室と連通されるよう前記前面に貫通形成された第２連結孔から下向に傾斜して延長形成される第２移動路と連結されることを特徴とする請求項２４に記載の生体活性化ブロック。
【請求項２６】
前記第１隔室は、複数の貫通孔が形成された仕切りがさらに備えられることを特徴とする請求項１８に記載の生体活性化ブロック。
【請求項２７】
前記胴体は、前記第１隔室と対応する領域に上部に開放された第１ノッチ部をさらに含むことを特徴とする請求項１８に記載の生体活性化ブロック。
【請求項２８】
前記第１ノッチ部は、前記第１隔室と連結される第５移動路を備えることを特徴とする請求項２７に記載の生体活性化ブロック。
【請求項２９】
前記胴体は、前記前面部に前記第１ノッチ部と連結されるよう傾斜して形成される第６移動路を備えることを特徴とする請求項２７に記載の生体活性化ブロック。
【請求項３０】
前記前面部は、自然に優しい自然石形態の模様が形成されたことを特徴とする請求項１、９あるいは１８のいずれか１項に記載の生体活性化ブロック。
【発明の詳細な説明】
【技術分野】
【０００１】
本発明は、林野に隣接した河川及び河岸沿いに一定の高さに築かれるブロックに関するもので、さらに詳しくは、前面に移動通路が形成されて動物がブロックに乗って移動することができ、内部には貯水空間が形成されて貯水空間に貯蔵された水を動物が渇水期に利用できるように環境にやさしく構築できる生体活性化ブロックに関する。
【背景技術】
【０００２】
一般に河川及び河岸にはヨウ壁が築かれるが、このようなヨウ壁は地表地盤の土圧力に抵抗して土が崩れないよう一定の高さに築造される。
【０００３】
しかし、このような従来のヨウ壁は一般のコンクリートの没脱を利用してヨウ壁を築造したり、石を積み上げてヨウ壁を築造したりするため、環境にやさしくないという問題点があった。
【０００４】
特に、従来のコンクリートのヨウ壁は、単にコンクリートブロックを高く築造して河川及び河岸の地盤を支える構造であるため、別途の貯水機能を有することができず、雨水が急に排水されて渇水現象が早く進み、河川、河岸沿いに生息する小動物、爬虫類、昆虫は水不足によって生命を保つことが難しいという問題がある。
【０００５】
また、その表面は単に平面になっているため河川沿いに生息する自然の生態系の動物が移動できる通路が限られているため、さらに河川沿いに生息する動物はその生息先を失っている実情である。
【０００６】
さらに、このような従来のコンクリートヨウ壁では河川の排水の速度が速くなり、渇水期には水が急速に不足してしまい、河川、河岸沿いに生息する動物が水不足によって生命を保つことが難しいという問題がある。
【発明の概要】
【発明が解決しようとする課題】
【０００７】
本発明は、上記のような従来の問題点を解消するためのもので、その目的は、河川及び河岸沿いに生息する動物が自由に移動することができ、河川及び河岸沿いに動植物の蟠踞形の生息地を提供するのは勿論、水の中では魚所を提供することによって、様々な動植物が生息しやすい良い環境が構築できる生体活性化ブロックを提供することにある。
【０００８】
また、本発明の他の目的は、洪水の際に水を一定量貯蔵して河川及び河岸沿いでの水量を安定して管理することができ、ろ過部材を備えて外部に排出される水の水質浄化及び貯蔵の持続時間を長期化して、渇水期に動物とブロック及びその周りに植生する植物が隔室内に貯蔵された水を利用できるようにすることによって、生命力を保つことができるという生体活性化ブロックを提供することにある。
【課題を解決するための手段】
【０００９】
上記のような目的を達成すべく、本発明は、河川及び河岸沿いに一定高さに築かれるブロックにおいて、土砂が貯蔵される第１隔室と、中間の隔壁を境に上記第１隔室の左右の両側に配置されて水が貯蔵される第２隔室及び第３隔室を備える胴体と、上記胴体の前面部に動物の移動が可能であるよう対角方向に形成される第１移動路と、上記第１隔室の上部が開放されるよう上記胴体の上部に備えられる蓋と、上記第２隔室と第３隔室の内部空間を連通するよう上記第１隔室を横切る流動管と、を含む。
【００１０】
一方、本発明は、河川及び河岸沿いに一定の高さに築かれるブロックにおいて、水が貯蔵される中央隔室と、中間隔壁を境に上記中央隔室の左右の両側に配置され上記中間隔壁と隣するブロックにより内部空間が形成されて土砂が貯蔵される左、右側隔室からなる胴体と、上記胴体の前面部に動物の移動が可能であるよう対角方向に形成される第１移動路と、上記中央隔室の上部に備えられる蓋と、上記中央隔室の下段に備えられて水質浄化及び水の排出速度を調節するろ過部材と、を含む。
【００１１】
また、本発明は、河川及び河岸沿いに一定の高さに築かれるブロックにおいて、内部に複数の中間隔壁を備えて土砂が貯蔵される第１隔室と水が貯蔵される第２隔室を備える胴体と、上記胴体の全方に備えられる前面部に動物の移動が可能であるよう対角方向に形成される第１移動路と、上記第１隔室と対応する領域に一定の大きさの開口部を形成して上記胴体の上部に組み立てられる蓋と、上記第１隔室の下段に配置され、外部面に複数の貫通孔を形成して上記第１隔室内の水を上記第２隔室に案内流入する複数の宥孔管と、を含む。
【発明の効果】
【００１２】
上記のような生体活性化ブロックによると、林野近接の河川の整備工事をしながら河川及び河岸や堤を保護するためコンクリートブロックが組積される場合、河川及び河岸沿いに生息する動物が第１移動路ないし第４移動路を通して自由に移動できるようにし、胴体の前面部に蟠踞生息部屋を形成して動植物が生息できる蟠踞形の生息地を提供することによって、生命力を保つことができるという効果がある。
【００１３】
また、本発明によると、洪水の際に隔室に水を貯蔵して洪水調節能力を備え、河川及び河岸沿いの安定した水量管理の機能を保つことができるという効果がある。
【００１４】
また、本発明によると隔室内にろ過部材を備えて外部に排出される水の水質浄化及び貯蔵の持続時間を長期化して渇水期に動物及びその周りに植生する植物が隔室内に貯蔵された水を利用できるようにすることによって、生命力を保つことができるという効果がある。
【図面の簡単な説明】
【００１５】
【図１】本発明の第１実施例による生体活性化ブロックの全体斜視図である。
【図２】図１のＡ−Ａ’断面図である。
【図３】本発明の第１実施例によるろ過部材の全体斜視図である。
【図４】図３のＢ−Ｂ’断面図である。
【図５】本発明の第１実施例による生体活性化ブロックの蓋変形例の全体斜視図である。
【図６】本発明の第１実施例による生体活性化ブロックの施行状態図である。
【図７】本発明の第２実施例による生体活性化ブロックの全体斜視図である。
【図８】図７のＣ−Ｃ’断面図である。
【図９】本発明の第２実施例によるろ過部材の全体斜視図である。
【図１０】図９のＤ−Ｄ’断面図である。
【図１１】本発明の第２実施例による生体活性化ブロックの施行状態図である。
【図１２】本発明の第３実施例による生体活性化ブロックの全体斜視図である。
【図１３】図１２のＥ−Ｅ’断面図である。
【図１４】図１３のＦ−Ｆ’断面図である。
【図１５】本発明の第３実施例の変形例による生体活性化ブロックの全体斜視図である。
【図１６】図１５に図示された胴体を詳細に図示した分解斜視図である。
【図１７】本発明の第３実施例の変形例による生体活性化ブロックに備えられる前面部を図示した正面斜視図である。
【図１８】本発明の第３実施例の変形例による生体活性化ブロックに備えられる前面部を図示した後面斜視図である。
【図１９】本発明の第３実施例による生体活性化ブロックの施行状態図で、コンクリートブロックの間に築かれる状態を図示した正面図である。
【図２０】本発明の第３実施例による生体活性化ブロックの施行状態図で、水平方向に築かれる状態を図示した正面図である。
【発明を実施するための形態】
【００１６】
以下、本発明の好ましい実施例を、図面を参照して詳しく説明する。
【００１７】
〔第１実施例〕
本発明の第１実施例による生体活性化ブロック１００は、内部に第１隔室１１２、第２隔室１１４及び第３隔室１１６が形成され、第１隔室１１２には土砂が貯蔵され、第２隔室１１４及び第３隔室１１６には水を貯蔵することができる胴体１１０を備える。
【００１８】
このような胴体１１０は、図１に図示したように、前面部１１０ａと両側壁１１０ｂ、１１０ｃ及び後壁１１０ｄを備えて内側に内部空間を形成し、上記内部空間には複数の中間隔壁１１８を備えて第１隔室１１２とその左右の両側に中間隔壁１１８を境に第２隔室１１４及び第３隔室１１６を形成する。
【００１９】
そして、上記第１隔室１１２には水と共に流入した土砂が残留して貯蔵され、上記第２隔室１１４と第３隔室１１６は後述する蓋１２０でその上部を覆い土砂は流入せず水のみ流入して一定量が貯蔵されるようにする。この際、上記第１隔室１１２の底面は開口されるように形成する。
【００２０】
図６に図示したように、生体活性化ブロック１００の胴体１１０は、直上部に配置される他の胴体１１０をすぐ積層して生体活性化ブロック１００を垂直形に築造する場合、下に配置される胴体１１０の第１隔室１１２と直上部に配置される胴体の第１隔室が互いに一直線上に位置するよう築造して上下に配置される生体活性化ブロック１００の第１隔室１１２が土砂により同時に満たされるようにすることによって、施行後に生体活性化ブロック１００が施行面から発生する土圧によって全方に押されることを防ぐことができるようになる。
【００２１】
一方、図面には図示していないが、生体活性化ブロック１００の胴体１１０の直上部に配置される他の胴体１１０をすぐ積層して生体活性化ブロック１００をジグザグ状に築造する場合、下に配置される胴体１１０の第１隔室１１２と直上部に配置される胴体１１０の左右側が連携して形成される隔室１０５が互いに一直線上に位置するよう築造して上に配置される生体活性化ブロック１００の第１隔室１１２と下に配置される胴体１１０の左右側が連携して形成される隔室１０５が土砂により同時に満たされるようにすることによって、施行後に生体活性化ブロック１００の第１隔室１１２が施行面から発生する土圧によって全方に押されることを防ぐことができる。
【００２２】
図２に図示されたように、上記第１隔室１１２の左右の両側に形成されて水が貯蔵される第２隔室１１４及び第３隔室１１６は、第２隔室１１４と第３隔室１１６の内部空間を連通するよう上記第１隔室１１２の内部空間を横切る流動管１３０が備えられる。
【００２３】
このような流動管１３０は一定の長さの中空のパイプ材からなり、開放された左右両端が一方向性を有して上記第２、３隔室１１４、１１６と連結されるように設ける。この際、第２隔室１１４と連通する一側端の高さが第３隔室１１６と連通する他側端の高さより高く設けられることにより、第２隔室１１４の水が上記流動管１３０を通して第３隔室１１６へ移動するようにすることが好ましい。これによって上記第２隔室１１４に流入した水は、上記流動管１３０を通して流入して第３隔室１１６に案内され貯蔵される。
【００２４】
図３及び図４に図示されたように、上記第３隔室１１６の底面には流入管１４２と流出管１４４が備えられたろ過部材１４０がさらに備えられる。上記ろ過部材１４０は内部空間１４６を備えて円筒状や直六面体状に形成され、上記内部空間１４６は流入孔１４９が備えられた複数の内部隔壁１４８を境に複数の内部空間１４６に区切られ、上記内部空間１４６には炭のような透水性の物質が圧着してそれぞれ満たされる。この際、ろ過部材１４０は第３隔室１１６の底面に埋められ流入管１４２を通して水が流入され、中間隔壁１１８に埋められた流出管１４４を通して水が流出されるようにすることができ、一側が中間隔壁１１８に接するよう第３隔室１１６の下段に位置して流出管１４４が中間隔壁１１８に埋められ水を外部に流出するようにすることもできる。
【００２５】
このようなろ過部材１４０によって、第３隔室１１６に流入した水は、上記流入管１４２を通してろ過部材１４０の内部空間１４６に流入した後、炭のような透水性の物質によって浄化されてから流出管１４４を通して外部に排出される。
【００２６】
この際、内部隔壁１４８に形成された流入孔１４９と隣する内部隔壁１４８に形成された流入孔１４９は互いに対角方向に配置されるよう形成して流入管１４２から流出管１４４までの移動経路が長くなるようすることによって、第３隔室１１６に水が長期間貯蔵できるようにする。
【００２７】
上記胴体１１０の全方に突出形成される前面部１１０ａには、対角の方向に傾斜して形成される第１移動路１５０が備えられて動物が第１移動路１５０に沿って生体活性化ブロック１００の下部から上部に移動できるようにする。この際、第１移動路１５０は階段状に形成されることもできることを明らかにする。
【００２８】
また、上記胴体１１０は、その前面部１１０ａの一側面から上方に傾斜して延長形成される第２移動路１５２が形成されて前面部１１０ａに傾斜して形成される第３移動路１５４を介して第１移動路１５０と互いに連結されるようにする。
【００２９】
このような胴体１１０は、前面部１１０ａに形成された第１移動路１５０の傾斜方向に沿って他のブロックと共に築造されると、上記第１移動路１５０は上下方向で互いに傾斜して連結される構造で築造されて、動物が第１移動路１５０に沿って生体活性化ブロック１００の下部から上部に自由に移動できるようにする。
【００３０】
また、上記胴体１１０は、前面部１１０ａに第３隔室１１６と連通するよう貫通形成される少なくとも一つの出入口１１９を備え、上記出入口１１９から下向に傾斜して形成される第４移動路１５６が前面部１１０ａの底面まで延長される。そして、このような第４移動路１５６は、ブロックが築かれる場合、隣接する胴体１１０の第２移動路１５２に連結されるよう築造される。
【００３１】
このように胴体１１０の前面部１１０ａに形成される第１、２、３、４移動路１５０、１５２、１５４、１５６が全て連結されるようすることによって、動物が上記移動路に沿って河川や河岸沿いから他の場所へと自由に移動が可能で、第３隔室１１６と連通するよう形成される出入口１１９を通して動物が第３隔室１１６に貯蔵されている水を利用できるようにすることによって、生命力を保つことができるというようにする。
【００３２】
また、本発明は、上記胴体１１０の下段に凹んだ蟠踞生息部屋１１７が、第２隔室１１４の下部に位置するよう備えられることができ、このような蟠踞生息部屋１１７は、前面部１１０ａを通して入口が外部に露出され、その反対側は閉鎖された洞窟の形態になることによって、胴体１１０の前面部１１０ａから後面部に向かうよう一定の高さに形成される。
【００３３】
このような蟠踞生息部屋１１７は、生体活性化ブロック１００が築かれる場合、野鼠のような小さい大きさのげっ歯類が生息したり、カエルやガマのような両生類が生息したりは勿論、鳥類などが巣を作って生息できるだけでなく、蟠踞生息部屋１１７に貯蔵された土砂を利用して植物が根づいて植生できるようにすることによって、環境にやさしく生体系が保存できるようにする効果が得られる。
【００３４】
一方、上記前面部１１０ａには上記第１隔室１１２と連通するよう貫通して形成される少なくとも一つの連結孔１１５が備えられる。上記連結孔１１５は上記前面部１１０ａに形成される入口は広く、上記第１隔室１１２側に形成される出口は狭い、ほぼ円錐状に形成されることが好ましく、上記前面部１１０ａに形成される入口が広く上記第１隔室１１２側に形成される出口は狭く、その長さの中間から出口側まで形成される中間部の断面の幅が同じ、ほぼ漏斗状に形成されることがさらに好ましい。
【００３５】
このような連結孔１１５は、前面部１１０ａに形成される入口は広く第１隔室１１２側に形成される出口は狭く形成されることにより、第１隔室１１２に貯蔵される土砂は外部に流出されず、連結孔１１５を通して第１隔室１１２に流入される水が外部に排出されるようにする。
【００３６】
また、図１に図示されたように、上記胴体１１０の左側端には、上記第２移動路１５２のスタート地点に第２隔室１１４と連通するよう前面部１１０ａから第２隔室１１４側に一側が開口されて連結孔１１５ａが形成され、上記胴体１１０の右側端には、上記第４移動路１５６の先端に第３隔室１１６と連通するよう前面部１１０ａから第３隔室１１６側に一側が開口されて形成される連結孔１１５ｂがそれぞれ備えられることもできる。この際、前面部１１０ａの右側の部分に形成される連結孔１１５ｂは、その長さの中間部分に段差があるように形成され、前面部１１０ａに形成される入口は広く第３隔室１１６側に連通して段差あるよう形成される部分はその幅が狭く形成されるようにする。
【００３７】
このように連結孔１１５ａ、１１５ｂが形成されて生体活性化ブロック１００が連続して築造されると、上記第２隔室１１４と隣するブロックの第３隔室１１６が連携して土砂が貯蔵される隔室１０５を形成するようになり、胴体１１０の左右側に形成される連結孔１１５ａ、１１５ｂが互いに連携して通路を形成するようになる。そして、前面部１１０ａの右側の部分に形成される連結孔１１５ｂの一部に段差があるように形成されることにより、隔室１０５内に貯蔵された土砂が外部に流出されることは防ぎ、隔室１０５内に流入される水は上記通路を通して外部に排出できるようにする。
【００３８】
また、胴体１１０の左右側に形成される２つの連結孔１１５ａ、１１５ｂにより連携して形成される通路には、土砂が貯蔵されて上記土砂に植物が根付いて植生できる植物の生息先の役割を果たすことによって生体を活性化させることができる。
【００３９】
本発明は、第１隔室１１２の上部は開放され、第２、３隔室１１４、１１６は密閉する蓋１２０が備えられ、このような蓋１２０は、図１及び図２に図示されたように、胴体１１０の上部に結合段差１２８を形成して上記蓋１２０を挿入して胴体１１０の開放された上部を覆うよう備えられ、第２隔室１１４と第３隔室１１６の内部空間をそれぞれ覆うよう２つの蓋１２０が備えられる。
【００４０】
また、図５に図示されたように、上記胴体１１０の上段部に突出形成された組み立て突起１１１と対応する下部面に組み立て溝（未図示）を備え、上記胴体１１０の開放された上部を覆うよう備えられることもできる。この際、上記蓋１２０は第１隔室１１２と対応する領域に一定の大きさの開口部１２４が備えられ、第２、３隔室１１４、１１６の上部を覆うよう形成される。
【００４１】
そして、一つの蓋１２０で形成される場合、第２隔室１１４及び第３隔室１１６に対応する領域の開口部１２４の左右両側、二つの蓋１２０で形成される場合、それぞれの蓋１２０に第２隔室１１４及び第３隔室１１６内に水が流入できるよう一定の大きさの貫通孔１２６が少なくとも一つ形成される。上記貫通孔１２６を通して水が隔室内に流入して貯蔵されることにより、胴体１１０の前面部に形成された出入口１１９を通して動物が第３隔室１１６に貯蔵されている水を利用できるようにする。
【００４２】
ここで、上記開口部１２４や第１隔室１１２の上部には外部から水と共に、木の葉、草のような異物が流入されることを防ぐことができるように網を設けることもできる。
【００４３】
一方、本発明の前面部１１０ａには、図６に図示されたように、自然に優しい自然石形態の模様が形成されることもできる。このような自然石の模様は多様な形の溝で形成されてブロックが築かれる場合、週の景色を美しくするだけでなく、周囲の環境とバランスをとるようにする。そして、このような多様な模様の溝は、第１、２、３、４移動路１５０、１５２、１５４、１５６と共に小動物、爬虫類及び昆虫の通路にもなり得るため生体活性をより効果的にする。
【００４４】
〔第２実施例〕
本発明の第２実施例による生体活性化ブロック２００は、内部に中央隔室２１２、左側隔室及び右側隔室２１４、２１６が形成され、中央隔室２１２には水が貯蔵され、左側隔室及び右側隔室２１４、２１６には土砂が貯蔵できる胴体２１０が備えられる。
【００４５】
このような胴体２１０は、前面部２１０ａと共に底面２１０ｂ、両側壁２１８及び後壁２１０ｃを備えて内側に内部空間を形成する中央隔室２１２と、上記側壁２１８と隣するブロックの側壁２１８により内部空間が形成される左側隔室及び右側隔室２１４、２１６を形成する。
【００４６】
そして上記左、右側隔室２１４、２１６には水と共に流入した土砂が残留して貯蔵され、上記中央隔室２１２は後述する蓋２２０でその上部を覆って土砂は流入せず水のみ流入して一定量が貯蔵されるようにする。
【００４７】
また、上記胴体２１０の上部面には、組み立て突起２１１が形成されて生体活性化ブロック２００が垂直に積層して設けられる場合、組み立て突起２１１とこれに対応する組み立て溝（未図示）により結合を容易にし、滑ることを防ぐことができる。勿論、上記胴体２１０の上部に垂直に積層して設けられる生体活性化ブロックの胴体２１０の下部面に、上記組み立て突起２１１と対応する組み立て溝（未図示）が形成されるべきであるということは自明である。
【００４８】
図１１に図示したように、生体活性化ブロック２００の胴体２１０は、直上部に配置される他の胴体２１０をすぐ積層して生体活性化ブロック２００を垂直型に築造する場合、下に配置される胴体２１０の中央隔室２１２と直上部に配置される胴体２１０の中央隔室２１２が互いに一直線上に位置するよう築造して上下に配置される生体活性化ブロック２００の左側隔室２１４及び右側隔室２１６が連携して形成される隔室２０５に土砂が同時に満たされるようにすることによって、施行後に生体活性化ブロック１００が施行面から発生する土圧によって全方に押されることを防ぐことが可能となる。
【００４９】
上記中央隔室２１２の底面には、図９及び図１０に図示されたように、流入管２４２と流出管２４４が備えられたろ過部材２４０が備えられる。上記ろ過部材２４０は内部空間２４６を備えて円筒状や直六面体上に形成され、上記内部空間２４６は流入孔２４９が備えられた複数の内部隔壁２４８を境に複数の内部空間２４６に区切られ、上記内部空間２４６には炭のような透水性の物質が圧着してそれぞれ埋められる。この際、ろ過部材２４０は、中央隔室２１２の底面に埋められ流入管２４２を通して水が流入され、側壁２１８に埋められた流出管２４４を通して水を流出することができ、一側が側壁２１８に接するよう中央隔室２１２の下段に位置して流出管２４４が側壁２１８に埋められて水を外部に流出することもできる。
【００５０】
このようなろ過部材２４０によって中央隔室２１２に流入した水は、上記流入管２４２を通してろ過部材２４０の内部空間２４６に流入した後、炭のような透水性の物質によって浄化して流出管２４４を通して外部に排出される。
【００５１】
この際、内部隔壁２４８に形成された流入孔２４９と隣する内部隔壁２４８に形成された流入孔２４９は、互いに対角方向に配置されるよう形成して流入管２４２から流出管２４４までの移動経路が長くなるようにすることによって、中央隔室２１２に水が長期間貯蔵できるようにする。
【００５２】
上記胴体２１０の全方に突出して形成される前面部２１０ａには、対角方向に傾斜して形成される第１移動路２５０が備えられ、動物が第１移動路２５０に沿って生体活性化ブロック２００の下部から上部に移動できるようにする。この際、第１移動路２５０は階段状に形成されることもできることを明らかにする。
【００５３】
そして、上記胴体２１０は、その前面部２１０ａの一側面から上方に傾斜して延長形成される第２移動路２５２が形成され、前面部２１０ａに傾斜して形成される第３移動路２５４を介して第１移動路２５０と互いに連結されるようにする。
【００５４】
このような胴体２１０は、前面部２１０ａに形成された第１移動路２５０の傾斜方向に沿って他のブロックと共に築造されると、上記第１移動路２５０は上下方向において互いに傾斜して連結される構造で築造され、動物が第１移動路２５０に沿って生体活性化ブロック２００の下部から上部に自由に移動できるようにする。
【００５５】
また、上記胴体２１０は、前面部２１０ａに中央隔室２１２と連通されるよう貫通形成される少なくとも一つの出入口２１９が第１移動路２５０の長さの中間に備えられる。
【００５６】
そして、上記胴体２１０は、蟠踞生息部屋２１７のその上部側に、上方に傾斜するよう形成される第４移動路２５６が前面部２１０ａの右側面まで延長される。また、このような第４移動路２５６は、ブロックが築かれる場合隣接する胴体２１０の第２移動路２５２に連結されるよう築造される。
【００５７】
このように、胴体２１０の前面部２１０ａに形成される第１、２、３、４移動路２５０、２５２、２５４、２５６が全て連結されるようにすることによって、動物が上記移動路を通して河川や河岸沿いから他の場所へ自由に移動することが可能で、中央隔室２１２と連通するよう形成される出入口２１９を通して動物が中央隔室２１２に貯蔵されている水を利用できるようにすることによって生命力を保つことができるというようにする。
【００５８】
一方、上記側壁２１８は、中央隔室２１２の内部空間を成す面が、段差２１３があるよう形成されることが好ましい。これは中央隔室２１２に貯蔵された水の水位が低い場合、上記出入口２１９を通して動物が中央隔室２１２の内部に入って水を利用した後、外部に自由に移動できるようにしたものである。
【００５９】
本発明は、上記胴体２１０の下段に凹んだ蟠踞生息部屋２１７が備えられることができ、このような蟠踞生息部屋２１７は、前面部２１０ａを通して入口が外部に露出され、その反対側は閉鎖された洞窟形態になったもので、胴体２１０の前面部２１０ａから後面部に向かうよう一定の高さに形成されたものである。
【００６０】
このような蟠踞生息部屋２１７は、生体活性化ブロック２００が築かれる場合、野鼠のような小さい大きさのげっ歯類が生息したり、カエルやガマのような両生類が生息したりは勿論、鳥類などが巣を作って生息できるだけでなく、蟠踞生息部屋２１７に貯蔵された土砂を利用して植物が根付いて植生できるようにすることによって、自然にやさしく生体系が保存できるという効果が得られる。
【００６１】
一方、上記前面部２１０ａには上記左側隔室２１４と連通するよう貫通して形成される少なくとも一つの連結孔２１５が備えられる。上記連結孔２１５は、上記前面部２１０ａに形成される入口は広く、上記左側隔室２１４側に形成される出口は狭い、ほぼ円錐状に形成されることが好ましく、上記前面部２１０ａに形成される入口が広く上記左側隔室２１４側に形成される出口が狭く、その長さの中間から出口側まで形成される中間部の断面の幅が同じ、ほぼ漏斗状に形成されることがさらに好ましい。
【００６２】
上記のような構造で上記前面部２１０ａに右側隔室２１６と連通するよう貫通して形成される少なくとも一つの連結孔２１５が備えられることもできる。このような連結孔２１５は、左側隔室２１４と右側隔室２１６を連通するようにする連結孔２１５が胴体２１０の左右側に同時に形成されることもでき、胴体２１０の左側または右側の片側のみに連結孔２１５が形成されて左側隔室２１４または右側隔室２１６と連通されるようにすることもできる。
【００６３】
このような連結孔２１５は、前面部２１０ａに形成される入口が広く、左右側隔室２１４、２１６側に形成される出口は狭く形成することにより、左右側隔室２１４、２１６に貯蔵される土砂は外部に流出されず、連結孔２１５を通して左右側隔室２１４、２１６に流入される水が外部に排出されるようにしたものである。
【００６４】
また、図７に図示されたように、このような連結孔２１５は、第２移動路と連結される前面部２１０ａの左側部分に左側隔室２１４と連通するよう前面部２１０ａから左側隔室２１４側に一側が開口されて連結孔２１５ａが形成され、第４移動路と連結される前面部２１０ａの右側部分に右側隔室２１６と連通されるよう、前面部２１０ａから右側隔室２１６側に一側が開口して形成される連結孔２１５ｂがそれぞれ備えられることもできる。この際、前面部２１０ａの右側部分に形成される連結孔２１５ｂは、その長さの中間部分に段差があるように形成され、前面部２１０ａに形成される入口は広く、右側隔室２１６側に連通されて段差があるように形成される部分はその幅が狭く形成されるようにする。
【００６５】
このように形成されて生体活性化ブロック２００が隣して築造されると、上記左側隔室２１４と右側隔室２１６が連携して一定の空間を備える隔室２０５を形成することになり、前面部２１０ａの左右側端に形成される二つの連結孔２１５ａ、２１５ｂが連携して一つの通路を形成することになる。そして、前面部２１０ａの右側部分に形成される連結孔２１５ｂの一部に段差があるように形成されることにより、隔室２０５内に貯蔵された土砂が外部に流出されることを防ぎ、隔室２０５内に流入された水は上記通路を通して外部に排出できるようにしたものである。
【００６６】
また、胴体２１０の左右側に形成される連結孔２１５ａ、２１５ｂが連携して形成される通路には、土砂が貯蔵されて上記土砂に植物が根付いて植生できる植物の生息先の役割を果たすことによって生体を活性化させることができる。
【００６７】
本発明は、中央隔室２１２を密閉する蓋２２０が備えられ、このような蓋２２０は上記胴体２１０の上段部に形成された結合段差２２２に挿入されて上記胴体２１０の開放された上部を覆うように結合される。
【００６８】
この際、上記蓋２２０には一定の大きさに貫通形成される一つ以上の貫通孔２２６を備えて中央隔室２１２内に水を流入させるようにする。
【００６９】
一方、本発明の前面部２１０ａには、図１１に図示されたように、自然に優しい自然石形態の模様が形成されることもできる。このような自然石の模様は多様な形の溝で形成されてブロックが築かれる場合、その回りの景色を美しくするだけでなく、回りの環境との調和をなすようにしたものである。そして、このような多様な模様の溝は、第１、２、３、４移動路２５０、２５２、２５４、２５６と共に動物の通路にもなり得るため生体活性をより効果的にする。
【００７０】
上記のように構成された生体活性化ブロック１００、２００は、胴体１１０、２１０がコンクリートブロックの間に所々挟んで築造されたり、連続して築造されたりする。例えば、上記胴体１１０、２１０は前面部１１０ａ、２１０ａに形成された第１移動路１５０、２５０の傾斜方向に沿って上記コンクリートブロックの間に挟んで築造されたり、蟠踞生息部屋１１７、２１７を有する胴体１１０、２１０は並んで隣接して築造されたりすることもできる。
【００７１】
このように築造されると、上記前面部１１０ａ、２１０ａに形成された第１移動路１５０、２５０が上下方向において互いに傾斜して連結される構造で築造されることができ、同時に第４移動路１５６、２５６と第２移動路１５２、２５２が連結されるよう築造されることにより、第４移動路１５６、２５６から第１、２、３移動路１５２、１５４、１５０、２５２、２５４、２５０を通して胴体１１０、２１０の前面部１１０ａ、２１０ａに形成された出入口１１９、２１９と連結される構造である。
【００７２】
このように、第１、２、３及び４移動路１５０、１５２、１５４、１５６、２５０、２５２、２５４、２５６を通して、動物は河川や河岸沿いから他の場所へ移動することができ、上記出入口１１９、２１９を通して第３隔室１１６または中央隔室２１２に貯蔵されている水を利用することができる。
【００７３】
また、上記胴体１１０、２１０の上部に結合される蓋１２０、２２０は、河川や河岸沿いから多量の異物が流入されることを防ぎ、蓋１２０、２２０に形成された貫通孔１２６、２２６を通して異物が取り除かれた水のみ隔室の内部に貯蔵できるようにする。
【００７４】
そして、中央隔室２１２または第３隔室１１６に備えられたろ過部材１４０、２４０が備えられて隔室内に貯蔵された水が急速に外部に追い出されることを防ぐのは勿論、ろ過部材１４０、２４０によって水に含まれた異物を取り除く一方、外部に排出される水を浄化することによって、きれいな水が外部に排出されて環境汚染を防ぐことができる。
【００７５】
このような本発明によると、林野の近くの河川整備工事をしながら河川及び河岸や堤を保護するためコンクリートブロックが組積される場合、河川及び河岸沿いに生息する動物が第１移動路ないし第４移動路を通して自由に移動できるようにし、胴体の前面部に蟠踞生息部屋を形成して動植物が生息できる蟠踞形の生息地を提供することによって、生命力を保つことができるという効果がある。
【００７６】
また、本発明によると、洪水の際に隔室に水を貯蔵して洪水調節能力を備え、河川及び河岸沿いの安定した水量管理の機能を行うことができ、隔室内にろ過部材を備えて外部に排出される水の水質浄化及び貯蔵の持続時間を長期化して渇水期に動物とブロック及びその回りに植生する植物が隔室内に貯蔵された水を利用できるようにすることによって生命力を保つことができるという効果がある。
【００７７】
〔第３実施例〕
本発明の第３実施例による生体活性化ブロック３００は、図１９に図示されたように、通常のコンクリートブロック１０の間に所々挟んで築造されることで一定の高さを有するヨウ壁を構成するものと図示したが、これに限定されるものではなく、図２０に図示したように、蟠踞生息部屋３１７を有する生体活性化ブロック３００と第１ノッチ部３６０を有する生体活性化ブロック３００ａが築造されることで一定の高さを有するヨウ壁を構成することもできる。
【００７８】
本発明による生体活性化ブロック３００は、内部には複数の隔室３１２、３１４が形成されて水が貯蔵できる胴体３１０を備える。
【００７９】
このような胴体３１０は、図１２に図示されたように、前面部３１０ａと共に底面３１０ｅ、両側壁３１０ｂ、３１０ｃ及び後壁３１０ｄが形成されることで内側に空間を形成し、上記空間には複数の中間隔壁３１８を備えて第１隔室３１２と、その両側に一対に備えられる第２隔室３１４を形成し、上記第１隔室３１２には水と共に流入した土砂が残留して貯蔵され、上記第２隔室３１４には上記第１隔室３１２から内部に流入した水が一定量貯蔵される。
【００８０】
また、上記第１隔室３１２の左右の両側に形成され水が貯蔵される一対の第２隔室３１４は、図１３と図１４に図示したように、上記第１隔室３１２の下段に備えられる流動管３３０によって互いに同じ水位を保つようになる。
【００８１】
このような流動管３３０は、開放された左右の両端が上記一対の第２隔室３１４で露出するよう設けられる一定の長さの中空パイプ部材からなり、外部面には複数の貫通孔３３２が備えられる。これによって、上記第１隔室３１２内に流入した水は、上記貫通孔３３２を通して流入し上記一対の第２隔室３１４にそれぞれ案内されて貯蔵される。
【００８２】
ここで、上記流動管３３０は、上記第２隔室３１４内に貯蔵された水の水位を一定の高さに保つことができるよう、上記胴体３１０の底面３１０ｅから一定の高さ離れた所に備えられることができるが、これに限定されるものではなく、上記底面３１０ｅに近接して備えられることもできる。
【００８３】
そして、上記胴体３１０の全方に突出して形成される前面部３１０ａは、その対角方向に階段が形成され、小動物、爬虫類及び昆虫が自由に移動できる第１移動路３５０を提供する構造からなる。
【００８４】
また、上記前面部３１０ａの下段には上記第１隔室３１２と連通するよう貫通形成される第１連結孔３１５が少なくとも一つ備えられ、このような第１連結孔３１５は上記前面部３１０ａの下段に形成される蟠踞生息部屋３１７の近くに形成されることが好ましい。
【００８５】
これによって、上記第１隔室３１２内の水は上記第１連結孔３１５を通して外部に排出されて上記蟠踞生息部屋３１７の入口に落下することにより、上記蟠踞生息部屋３１７を利用する様々な動物に水を提供することができる。
【００８６】
そして、上記前面部３１０ａの上段には上記第２隔室３１４と連通するよう貫通形成された第２連結孔３１６が少なくとも一つ備えられ、このような第２連結孔３１６は上記前面部３１０ａに下向に傾斜して形成され、上記前面部３１０ａの側面まで延長される第２移動路３５２の上段部に位置することが好ましい。
【００８７】
また、上記第２移動路３５２は、上記前面部３１０ａに傾斜して形成される第３移動路３５４を介して上記第１移動路３５０と互いに連結される。
【００８８】
このような上記胴体３１０は、前面部３１０ａに形成された第１移動路３５０の傾斜方向に沿って上記コンクリートブロック１０の間に挟んで築造されたり、他の胴体３１０と共に築造されたりすると、上記第１移動路３５０は上下方向において互いに傾斜して連結される構造で築造されることができ、このように互いに上下に連結されて図１９と図２０に図示されたように築造されると、第１移動路３５０を通して自由に移動することができる。
【００８９】
また本発明は、図１２に図示したように、上記第１隔室３１２と対応する領域に一定の大きさの開口部３２４が貫通形成された蓋３２０を備え、このような蓋３２０は上記胴体３１０の上段部に突出形成された組み立て突起３１１と対応する下部面に組み立て溝３２２を備えて上記胴体３１０の開放された上部を覆うよう組み立てられる。
【００９０】
上記開口部３２４の左右両側には、上記第２隔室３１４内に水を流入させるよう一定の大きさの貫通孔３２６を少なくとも一つ以上備えることもできる。
【００９１】
ここで、上記開口部３２４には、外部から水と共に木の葉、草のような異物が流入することを効果的に防ぐように網を設けることもできる。
【００９２】
そして本発明は、上記前面部３１０ａは自然に優しい自然石形態の模様が形成された構造である。このような自然石の模様は、多様な形の溝で形成されて河川及び河岸沿いをより自然的な環境にすることができ、周りの景色を美しくすることができる。また、このような多様な形の溝は小動物、爬虫類及び昆虫の通路になることもできる。
【００９３】
また、本発明は、上記胴体３１０の下段に凹んだ蟠踞生息部屋３１７を備えることができ、このような蟠踞生息部屋３１７は、図１３及び図１４に図示されたように、前面部３１０ａを通して入口が外部に露出して、その反対側は閉鎖した洞窟状になったもので、胴体３１０の前面部３１０ａから後面部に向いて一定の高さに形成されたものである。
【００９４】
このような蟠踞生息部屋３１７は、野鼠のような小さい大きさのげっ歯類が生息したり、カエルやガマのような両生類が生息したり、鳥類の巣も作ることが可能である。
【００９５】
そして、このような蟠踞生息部屋３１７は、上記胴体３１０が図１９及び図２０に図示されたようにヨウ壁で築かれる場合、その下部側に位置した胴体３１０の第１移動路３５０の上部側に位置することが好ましい。
【００９６】
また、上記胴体３１０は、蟠踞生息部屋３１７のその上部側に上方に傾斜して上記前面部３１０ａの側面まで延長して形成される第４移動路３５６を備えるが、これは隣接して位置した胴体３１０の第２移動路３５２に連結されて上記第２連結孔３１６を通して排出される水を上記蟠踞生息部屋３１７に流すことができる。
【００９７】
そして、上記胴体３１０に備えられる第１隔室３１２には、図１５及び図１６に図示したように、複数の貫通孔３７２を貫通形成した仕切り３７０を備えることもできる。
【００９８】
このような仕切り３７０は、上記第１隔室３１２を構成する中間隔壁３１８の内部面に形成された結合溝３１９に沿って結合されることにより、上記前面部３１０ａと仕切り３７０の間に一定の大きさの生息空間を形成することができる。
【００９９】
これによって、上記第１隔室３１２に土砂と共に流入した水は、上記仕切り３７０に形成された貫通孔３７２を通して全方に排出される反面、土砂はそのまま残留することになる。この際、上記蓋３２０に貫通形成された開口部３２４は、上記土砂が貯蔵される空間と対応するよう備えられることが好ましい。
【０１００】
また、上記中間隔壁３１８の先端部には、上記前面部３１０ａと仕切り３７０によって形成される生息空間への自由な移動が可能であるよう第２ノッチ部３１８ａを備えることが好ましい。
【０１０１】
そして、上記第１隔室３１２に仕切り３７０が備えられる上記胴体３１０は、図１５、図１７及び図１８に図示したように、上記第１隔室３１２と対応する領域に上部に開放された第１ノッチ部３６０を備えることで、ヨウ壁が設けられる河川の水位の上昇したときに、水が上記第１隔室３１２に流入して貯蔵できるようにする。
【０１０２】
このような第１ノッチ部３６０には、上記第１隔室３１２と連結されるよう前面から後面に向けて階段状に下向に延長される第５移動路３５８を備えることが好ましい。
【０１０３】
また、上記第１ノッチ部３６０を備える胴体３１０の前面部３１０ａには、上記第１ノッチ部３６０と連結されるよう傾斜して形成される複数の第６移動路３５９を備えることが好ましい。
【０１０４】
そして、上記蟠踞生息部屋３１７を有するか第１ノッチ部３６０を有する胴体３１０の前面部３１０ａは、図１２に図示したように、角部または側面部に切開部３７２、３７４、３７６、３７８を形成することで、複数の胴体３１０が連続して築かれる場合、上記前面部３１０ａとこれに隣接する前面部の間には、上記切開部３７２、３７４、３７６、３７８によって様々な動物が生息したり、植物が植生したりできる空間をさらに確保することができる。
【０１０５】
また、上記切開部３７２、３７４、３７６、３７８によって形成される空間を動植物が自由に利用することで、自然親和力がより向上して自然復元力を高めることができる。
【０１０６】
上記のように構成された本発明の生体活性化ブロック３００、３００ａは、図１９及び図２０に図示されたように、胴体３１０がコンクリートブロック１０の間に所々挟んで築造したり連続して築造したりする。例えば、上記胴体３１０は、前面部３１０ａに形成された第１移動路３５０の傾斜方向に沿って上記コンクリートブロック１０の間に挟んで築造されたり、上記蟠踞生息部屋３１７を有する胴体３１０または上記第１ノッチ部３６０を有する胴体３１０は、並んで隣接して水平に築造されたりすることができる。
【０１０７】
このように築造されると、上記前面部３１０ａに形成された第１移動路３５０が上下の方向において互いに傾斜して連結される構造で築造されることができ、同時に第１移動路３５０から第２、３移動路３５２、３５４を通して第２連結孔３１６が連結される構造である。
【０１０８】
また、上記蟠踞生息部屋３１７は、第４移動路３５６を通して隣接する胴体３１０の第２、３移動路３５２、３５４と連結される。
【０１０９】
このような第１、２、３及び４移動路３５０、３５２、３５４、３５６を通して、小さい大きさの動物が河川や河岸沿いから他の場所へ移動が可能で、上記第２連結孔３１６を通して排出される水を利用することができる一方、上記蟠踞生息部屋３１７の近くに形成された第１連結孔３１５を通して排出される水を利用することができる。
【０１１０】
また、上記胴体３１０の上部側に位置した蓋３２０は、胴体３１０の上部側から多量の異物が流入されることを効果的に防ぎ、開口部３２４を通して水が第１隔室３１２内に流入するようにし、上記第１隔室３１２に備えられる複数の流動管３３０を通して第２隔室３１４の空間に水が貯蔵されるようにする。
【０１１１】
そして本発明は、上記胴体３１０が並んで隣接して水平に築かれる場合、上記蟠踞生息部屋３１７は第４移動路３５６を通して互いに連結され、上記第１ノッチ部３６０は第６移動路３５９を通して互いに連結される。
【０１１２】
即ち、蟠踞生息部屋３１７の上部側に傾斜して形成される第４移動路３５６を前面部３１０ａの側面まで延長して形成され、これは隣接して位置した胴体３１０の第２連結孔３１６から下向に第２移動路３５２が延長して第３移動路３５４に連結され、上記第２移動路３５２の上段は、上部に積層される他の胴体３１０の蟠踞生息部屋３１７と連結されることで、動物と昆虫は蟠踞生息部屋３１７から隣接した他の蟠踞生息部屋３１７への連結移動が可能となる。
【０１１３】
このように本発明は、林野の近くの河川整備工事をしながら河川及び河岸や堤を保護するため胴体３１０をコンクリートブロック１０の間に挟んで組積したり水平に組積したりする場合、河川及び河岸沿いに生息する小動物、爬虫類及び昆虫が第１移動路３５０ないし第６移動路３５９を通して上下に自由に移動することができ、河川及び河岸から他の場所へ居所を移ることもできる。
【０１１４】
また第１、２連結孔３１５、３１６を通して上記第１、２隔室に一時貯蔵された水を提供することで、渇水期には小動物、爬虫類及び昆虫が生命力を保つことができる。
【０１１５】
そして本発明は、河川及び河岸沿いに複数の蟠踞生息部屋３１７を複数提供することによって、様々な小動物、爬虫類、鳥類及び昆虫に適した蟠踞型の生息地を提供することができる。このような蟠踞生息部屋３１７は、水の外では動物、鳥類と昆虫の生息として活用できるのは勿論、水の中では蟠踞生息部屋３１７が魚所と産卵先を提供するため、魚類が生息するに適した環境を構築することができ、生命を保つことのできる自然に親和力のある河川及び河岸のヨウ壁を構築することができる。
【０１１６】
さらに、上記胴体３１０の前面部に第１ノッチ部３６０を形成する場合、洪水の際に上記第１ノッチ部３６０を通して上記第１、２隔室３１２、３１４で水を貯蔵して洪水の調節能力を備え、渇水期には貯蔵された水を利用する貯水槽の役割を果たすことによって、河川及び河岸沿いの安定した水量調節機能も果たすようになる。
【０１１７】
本発明は、上記において図面を参照して特定の実施例に関して詳しく説明したが、本発明はこのような特定の構造に限定されるものではない。当業界の通常の知識を有している者であれば、添付の特許請求の範囲に記載された本発明の技術思想及び権利範囲を外れることなく、本発明の実施例を多様に修正または変更することができる。しかし、このような単純な実施例の修正または設計変形の構造は本発明の権利範囲内に属することを明らかにする。
【符号の説明】
【０１１８】
１００、２００、３００、３００ａ  生体活性化ブロック
１１０、２１０、３１０  胴体
１１０ａ、２１０ａ、３１０ａ  前面部
１１０ｂ、１１０ｃ、３１０ｂ、３１０ｃ  側壁
１１０ｄ、３１０ｄ  後壁
１１１、３１１  組み立て突起
１１２、３１２  第１隔室
１１４、３１４  第２隔室
１１５  連結孔
１１６  第３隔室
１１７、２１７、３１７  蟠踞生息部屋
１１８、３１８  中間隔壁
１１９、２１９  出入口
１２０、２２０、３２０  蓋
１２４、３２４  開口部
１２６、２２６、３２６  貫通孔
１３０、３３０  流動管
１４０、２４０  ろ過部材
１４２、２４２  流入管
１４４、２４４  流出管
１４６、２４６  内部空間
１４８、２４８  内部隔壁
１４９、２４９  流入孔
１５０、２５０、３５０  第１移動路
１５２、２５２、３５２  第２移動路
１５４、２５４、３５４  第３移動路
１５６、２５６、３５６  第４移動路
２１０ｂ、３１０ｅ  底面
２１０ｃ  後壁
２１２  中央隔室
２１３  段差
２１４  左側隔室
２１５  連結孔
２１６  右側隔室
２１８  側壁
２２２  結合段差
３１５  第１連結孔
３１６  第２連結孔
３５８  第５移動路
３５９  第６移動路
３６０  第１ノッチ部
３７０  仕切り
【図１】
2011510192.tif 000003
【図２】
2011510192.tif 000004
【図３】
2011510192.tif 000005
【図４】
2011510192.tif 000006
【図５】
2011510192.tif 000007
【図６】
2011510192.tif 000008
【図７】
2011510192.tif 000009
【図８】
2011510192.tif 000010
【図９】
2011510192.tif 000011
【図１０】
2011510192.tif 000012
【図１１】
2011510192.tif 000013
【図１２】
2011510192.tif 000014
【図１３】
2011510192.tif 000015
【図１４】
2011510192.tif 000016
【図１５】
2011510192.tif 000017
【図１６】
2011510192.tif 000018
【図１７】
2011510192.tif 000019
【図１８】
2011510192.tif 000020
【図１９】
2011510192.tif 000021
【図２０】
2011510192.tif 000022
【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
河川及び河岸沿いに一定の高さに築かれるブロックにおいて、
土砂が貯蔵される第１隔室と、中間隔壁を境に前記第１隔室の左右の両側に配置されて水が貯蔵される第２隔室及び第３隔室を備える胴体と、
前記胴体の前面部に動物の移動が可能であるよう対角方向に形成される第１移動路と、
前記第１隔室の上部が開放されるよう前記胴体の上部に備えられる蓋と、
前記第２隔室と第３隔室の内部空間を連通するよう前記第１隔室を横切る流動管と、
前記第３隔室の下段に備えられて水質浄化及び水の排出速度を調節するろ過部材と、を含むことを特徴とする生体活性化ブロック。
【請求項２】
前記胴体は、前記第２隔室の下部に前面部から後面部に向かうよう、一定の深さに凹んで形成される蟠踞生息部屋がさらに備えられることを特徴とする請求項１に記載の生体活性化ブロック。
【請求項３】
前記前面部には、土砂の流出を防ぎ、水が排出されるよう貫通して形成される少なくとも一つの連結孔が備えられることを特徴とする請求項１に記載の生体活性化ブロック。
【請求項４】
前記ろ過部材は、水が流入される流入管と、一側に流入孔が備えられた内部隔壁を境にして形成される複数の内部空間と、前記複数の内部空間の水を外部に流出する流出管及び前記内部空間に満たされる透水性の物質を含むろ過部材が前記第３隔室の下段にさらに備えられることを特徴とする請求項１に記載の生体活性化ブロック。
【請求項５】
前記胴体は、前記前面部に第３隔室と連通される少なくとも一つの出入口が形成されることを特徴とする請求項１に記載の生体活性化ブロック。
【請求項６】
河川及び河岸沿いに一定の高さに築かれるブロックにおいて、
水が貯蔵される中央隔室と、両側壁を境にして前記中央隔室の左右両側に配置され前記側壁と隣するブロックにより内部空間が形成されて土砂が貯蔵される左、右側隔室からなる胴体と、
前記胴体の前面部に動物の移動が可能であるよう対角方向に形成される第１移動路と、
前記中央隔室の上部に備えられる蓋と、
前記中央隔室の下段に備えられ水質浄化及び水の排出速度を調節するろ過部材と、を含むことを特徴とする生体活性化ブロック。
【請求項７】
前記胴体は、前記中央隔室の下部に前面部から後面部に向かうよう一定の深さに凹んで形成される蟠踞生息部屋がさらに備えられることを特徴とする請求項６に記載の生体活性化ブロック。
【請求項８】
前記ろ過部材は、水が流入される流入管と、一側に流入孔が備えられた内部隔壁を境にして形成される複数の内部空間と、前記複数の内部空間の水を外部に流出する流出管及び前記内部空間に満たされる透水性の物質を含むことを特徴とする請求項６に記載の生体活性化ブロック。
【請求項９】
前記流入孔は、隣する内部隔壁に形成された流入孔と対角方向に配置されて水の移動経路が長くなるように形成されることを特徴とする請求項４または８に記載の生体活性化ブロック。
【請求項１０】
前記胴体は、前記前面部に中央隔室と連通される少なくとも一つの出入口が形成されることを特徴とする請求項６に記載の生体活性化ブロック。
【請求項１１】
前記中央隔室は、前記中央隔室の内部空間を成す面に段差があるように形成されることを特徴とする請求項６に記載の生体活性化ブロック。
【請求項１２】
河川及び河岸沿いに一定の高さに築かれるブロックにおいて、
内部に複数の中間隔壁を備えて土砂が貯蔵される第１隔室と水が貯蔵される第２隔室を備える胴体と、
前記胴体の前面部に動物の移動が可能であるよう対角方向に形成される第１移動路と、
前記第１隔室と対応する領域に一定の大きさの開口部を形成して前記胴体の上部に組み立てられる蓋と、
前記第１隔室の下段に配置され、外部面に複数の貫通孔を形成して前記第１隔室内の水を前記第２隔室に案内して流入する少なくとも一つの流動管と、を含むことを特徴とする生体活性化ブロック。
【請求項１３】
前記胴体は、前記前面部の下部に前記第１隔室と連通されるよう少なくとも一つの第１連結孔が貫通形成されることを特徴とする請求項１２に記載の生体活性化ブロック。
【請求項１４】
前記胴体は、前記前面部の上部に前記第２隔室と連通されるよう少なくとも一つの第２連結孔が貫通形成されることを特徴とする請求項１２に記載の生体活性化ブロック。
【請求項１５】
前記胴体は、前記第２連結孔から下向に傾斜して前記前面部の側面まで延長形成される第２移動路を備えることを特徴とする請求項１４に記載の生体活性化ブロック。
【請求項１６】
前記胴体は、その下部に前面部から後面部に向かうよう一定の深さに凹んで形成される蟠踞生息部屋がさらに備えられることを特徴とする請求項１２に記載の生体活性化ブロック。
【請求項１７】
前記第１隔室は、複数の貫通孔が形成された仕切りがさらに備えられることを特徴とする請求項１２に記載の生体活性化ブロック。
【請求項１８】
前記胴体は、前記第１隔室と対応する領域に上部に開放された第１ノッチ部をさらに含むことを特徴とする請求項１２に記載の生体活性化ブロック。
【請求項１９】
前記第１ノッチ部は、前記第１隔室と連結される第５移動路を備えることを特徴とする請求項１８に記載の生体活性化ブロック。
【国際調査報告】
2011510192.tif 000023
2011510192.tif 000024
2011510192.tif 000025
2011510192.tif 000026